(57)【要約】【解決手段】金属シート（１２）を切断するための装置（１０）は、幾つかの刃保持アッセンブリ（５６）を有し、その各々は、回転式刃（５８）を備える。刃保持アッセンブリ（５６）は、切断作業の間に刃を回転させる上側及び下側回転シャフト（４４、４６）に沿って移動するように取り付けられている。刃保持アッセンブリ（５６）の位置は、様々な切断形態のため回転シャフト（４４、４６）に沿った刃（５８）の効率的且つ正確な位置決め並びに調整に関してプログラム可能に制御される。更に、上側及び下側駆動シャフト（４４、４６）の各々は、一対の駆動シャフト区分（７４）を有し、該区分は、通常、作業中に一緒に接続されているが、シャフト（４４、４６）上で刃保持アッセンブリ（５６）の保守点検のため接続解除することができる。切断装置（１０）は、上側及び下側フレーム（２６、２８）を備え、該フレームは、労力調整又は装置（１０）の再構成無しに、異なる厚さの金属シート（１２）を切断するため一対のジャッキねじ（８６）の調整により互いに対して移動可能である。【選択図】図１
2005508260.tif 000002
【特許請求の範囲】
【請求項１】
金属シートを切断するための装置であって、
フレームと、
前記フレーム内で回転するように取り付けられた上側駆動シャフトアッセンブリと、
前記フレーム内で回転するように取り付けられた下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
前記駆動シャフトアッセンブリの各々に沿って前記刃保持アッセンブリを移動させるため前記刃保持アッセンブリの各々に作動的に連結された刃保持位置調整システムと、
前記駆動シャフトアッセンブリの各々に沿って前記刃保持アッセンブリを位置決めするため前記刃保持位置調整システムに作動的に連結されたプログラム可能なコントローラと、
を備える、装置。
【請求項２】
前記フレームは、
前記上側駆動シャフトアッセンブリが回転可能に取り付けられている上側フレームと、
前記上側フレームに連結され、且つ、前記下側駆動シャフトアッセンブリが回転可能に取り付けられている下側フレームと、
を更に備える、請求項１に記載の装置。
【請求項３】
前記刃保持位置調整システムは、
前記フレーム内に取り付けられた上側ねじ切りシャフトと、
前記フレーム内に取り付けられた下側ねじ切りシャフトと、
を更に備え、
連係する前記ねじ切りシャフトに対する各刃保持アッセンブリの少なくとも一部分の回転が前記刃保持アッセンブリを連係する前記駆動シャフトアッセンブリに沿って移動させるように、前記刃保持アッセンブリの各々が前記ねじ切りシャフトの一つに螺合されている、請求項１に記載の装置。
【請求項４】
前記刃保持位置調整システムは、
複数の位置決めモーターであって、該モーターの各々は前記刃保持アッセンブリの一つに取り付けられ、前記プログラム可能なコントローラに作動的に連結されている、前記複数の位置決めモーターと、
複数のボールナットであって、該ボールナットの各々は前記刃保持アッセンブリの一つに取り付けられ、前記ねじ切りシャフトの一つに螺合され、連係する前記位置決めモーターに作動的に連結されている、前記複数のボールナットと、
を更に備え、
前記プログラム可能なコントローラによる前記位置決めモーターの各々の作動は、連係する前記駆動シャフトアッセンブリに沿って、連係する前記刃保持アッセンブリを移動させるため、連係する前記ボールナットを回転させる、請求項３に記載の装置。
【請求項５】
前記刃保持アッセンブリの各々の位置は、他の刃保持アッセンブリの各々から独立に、前記刃保持位置調整システムにより調整可能である、請求項１に記載の装置。
【請求項６】
金属シートを切断するための装置であって、
上側フレームと、
前記上側フレームに連結された下側フレームと、
前記上側フレーム内で回転するように取り付けられた上側駆動シャフトアッセンブリと、
前記下側フレーム内で回転するように取り付けられた下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
前記刃保持アッセンブリの各々一つに夫々取り付けられた複数の位置決めモーターと、
前記上側フレーム内に取り付けられた上側ねじ切りシャフトと、
前記下側フレーム内に取り付けられた下側ねじ切りシャフトと、
複数のボールナットであって、該ボールナットの各々は前記刃保持アッセンブリの一つに取り付けられ、前記ねじ切りシャフトの一つに螺合され、連係する前記位置決めモーターに作動的に連結され、連係する前記ねじ切りシャフトに対する各ボールナットの少なくとも一部分の回転は、連係する前記駆動シャフトアッセンブリに沿って前記刃保持アッセンブリを移動させる、前記複数のボールナットと、
前記駆動シャフトアッセンブリの各々に沿って前記刃保持アッセンブリを位置決めするため前記位置決めモーターの各々に作動的に連結されたプログラム可能なコントローラであって、該プログラム可能なコントローラによる前記位置決めモーターの各々の作動は、連係する駆動シャフトアッセンブリに沿って連係する刃保持アッセンブリを移動させるため連係する前記ボールナットを回転させる、前記プログラム可能なコントローラと、
を備え、
前記刃保持アッセンブリの各々の位置は、他の刃保持アッセンブリの各々から独立に調整可能である、装置。
【請求項７】
金属シートを切断するための装置であって、
フレームと、
前記フレーム内で回転するように取り付けられた上側駆動シャフトアッセンブリ、及び、前記フレーム内で回転するように取り付けられた下側駆動シャフトアッセンブリであって、該駆動シャフトアッセンブリの各々は複数の駆動シャフト区分を有し、各々の区分は、前記フレームで回転するため隣接する駆動シャフト区分に連結されている、前記上側及び下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
を備え、
前記駆動シャフトアッセンブリの各々の前記隣接する駆動シャフト区分は、前記装置を保守点検するため互いに対して選択的に再位置決めされるように構成されている、装置。
【請求項８】
前記隣接する駆動シャフト区分を一緒に解放可能に連結する連結機構を更に備える、請求項７に記載の装置。
【請求項９】
前記連結機構は、カップリングであり、各駆動シャフト区分は、
前記駆動シャフト区分から軸方向に突出するスピンドルを更に備え、前記カップリングは、隣接する駆動シャフト区分の前記スピンドルを解放可能に接続する、請求項８に記載の装置。
【請求項１０】
前記隣接する駆動シャフト区分をユーザが選択的に引き離すための駆動連結解放機構を更に備える、請求項７に記載の装置。
【請求項１１】
前記駆動シャフト連結解放機構は、
前記駆動シャフト区分の少なくとも１つに作動的に連結された、ねじを更に備え、
前記ねじの回転は、前記駆動シャフト区分を、前記隣接する駆動シャフト区分から軸方向に引く、請求項１０に記載の装置。
【請求項１２】
前記隣接する駆動シャフト区分は、該隣接する駆動シャフト区分の接続部に近接して配置された刃保持アッセンブリの一つを保守点検するため、互いから連結解放される、請求項７に記載の装置。
【請求項１３】
金属シートを切断するための装置であって、
フレームと、
前記フレーム内で回転するように取り付けられた上側駆動シャフトアッセンブリ、及び、前記フレーム内で回転するように取り付けられた下側駆動シャフトアッセンブリであって、該駆動シャフトアッセンブリの各々は複数の駆動シャフト区分を有し、各々の区分は、前記フレームで回転するため隣接する駆動シャフト区分に解放可能に連結されている、前記上側及び下側駆動シャフトアッセンブリと、
前記駆動シャフト区分の各々から軸方向に突出するスピンドルと、
隣接する駆動シャフト区分上の前記スピンドルを一緒に解放可能に接続するカップリングと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断し、前記駆動シャフトアッセンブリの各々の隣接する駆動シャフト区分は、該隣接する駆動シャフト区分の接続部に近接して配置された刃保持アッセンブリの一つを保守点検するため、選択的に互いから連結解放される、前記複数の回転式刃と、
前記駆動シャフト区分の少なくとも１つに作動的に連結された、ねじであって、該ねじの回転は、前記駆動シャフト区分を、前記隣接する駆動シャフト区分から軸方向に引く、前記ねじと、
を備える、装置。
【請求項１４】
金属シートを切断するための装置であって、
フレームと、
前記フレーム内で回転するように取り付けられた上側駆動シャフトアッセンブリ、及び、前記フレーム内で回転するように取り付けられた下側駆動シャフトアッセンブリであって、該駆動シャフトアッセンブリの各々は複数の駆動シャフト区分を有し、各々の区分は、前記フレームで回転するため隣接する駆動シャフト区分に解放可能に連結され、各駆動シャフトアッセンブリの隣接する駆動シャフト区分は、前記装置を保守点検するため互いから選択的に連結解放されるように構成されている、前記上側及び下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
前記駆動シャフトアッセンブリの各々に沿って前記刃保持アッセンブリを移動させるため前記刃保持アッセンブリの各々に作動的に連結された刃保持位置調整システムと、
前記駆動シャフトアッセンブリの各々に沿って前記刃保持アッセンブリを位置決めするため前記刃保持位置調整システムに作動的に連結されたプログラム可能なコントローラと、
を備える、装置。
【請求項１５】
金属シートを切断するための装置であって、
上側フレームと、
前記上側フレームに連結された下側フレームと、
前記上側フレーム内で回転するように取り付けられた上側駆動シャフトアッセンブリと、
前記下側フレーム内で回転するように取り付けられた下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
を備え、
前記上側フレームは、異なる厚さを持つ金属シートを切断するため、前記第１及び第２の刃保持アッセンブリの刃の相対的垂直方向位置決めを調整するように、前記下側フレームに対して移動可能である、装置。
【請求項１６】
前記駆動シャフトアッセンブリの軸線に略垂直な方向に、前記第１及び第２の刃保持アッセンブリの刃の相対的垂直方向位置決めを調整するためのフレーム調整機構を更に備える、請求項１５に記載の装置。
【請求項１７】
前記フレーム調整機構は、
前記上側フレーム及び前記下側フレームの間に各々取り付けられた、一対のジャッキねじを更に備える、請求項１６に記載の装置。
【請求項１８】
前記ジャッキねじを同時に調整するため該ジャッキねじの各々に連結されたアクチュエータを更に備える、請求項１７に記載の装置。
【請求項１９】
前記下側フレームに対する前記上側フレームの移動では、これらのフレームが互いに対して略平行に維持される、請求項１５に記載の装置。
【請求項２０】
前記上側フレームは、前記下側フレームに枢動式に連結されている、請求項１９に記載の装置。
【請求項２１】
金属シートを切断するための装置であって、
上側フレームと、
前記上側フレームに枢動式に連結された下側フレームと、
前記上側フレーム内で回転するように取り付けられた上側駆動シャフトアッセンブリと、
前記下側フレーム内で回転するように取り付けられた下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
異なる厚さを持つ金属シートを切断するため、前記駆動シャフトアッセンブリの軸線に略垂直な方向に前記第１及び第２の刃保持アッセンブリの刃の相対的垂直方向位置決めを調整するように前記上側フレーム及び前記下側フレームの間に各々取り付けられ、前記下側フレームに対する前記上側フレームの移動では、これらのフレームが互いに対して略平行に維持される、一対のジャッキねじと、
前記ジャッキねじを同時に調整するため該ジャッキねじの各々に連結されたアクチュエータと、
を備える、装置。
【請求項２２】
金属シートを切断するための装置であって、
上側フレームと、
前記上側フレームに連結された下側フレームと、
前記上側フレーム内で回転するように取り付けられた上側駆動シャフトアッセンブリと、
前記下側フレーム内で回転するように取り付けられた下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
前記駆動シャフトアッセンブリの各々に沿って前記刃保持アッセンブリを移動させるため前記刃保持アッセンブリの各々に作動的に連結された刃保持位置調整システムと、
前記駆動シャフトアッセンブリの各々に沿って前記刃保持アッセンブリを位置決めするため前記刃保持位置調整システムに作動的に連結されたプログラム可能なコントローラと、
を備え、
前記上側フレームは、異なる厚さを持つ金属シートを切断するため、前記第１及び第２の刃保持アッセンブリの刃の相対的垂直方向位置決めを調整するように、前記下側フレームに対して移動可能である、装置。
【請求項２３】
金属シートを切断するための装置であって、
上側フレームと、
前記上側フレームに連結された下側フレームと、
前記上側フレーム内で回転するように取り付けられた上側駆動シャフトアッセンブリ、及び、前記下側フレーム内で回転するように取り付けられた下側駆動シャフトアッセンブリであって、該駆動シャフトアッセンブリの各々は複数の駆動シャフト区分を有し、各々の区分は、連係する前記フレームで回転するため隣接する駆動シャフト区分に解放可能に連結されている、前記上側及び下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
を備え、
前記駆動シャフトアッセンブリの各々の隣接する駆動シャフト区分は、前記装置を保守点検するため互いから選択的に連結解放されるように構成され、
前記上側フレームは、異なる厚さを持つ金属シートを切断するため、前記第１及び第２の刃保持アッセンブリの刃の相対的垂直方向位置決めを調整するように、前記下側フレームに対して移動可能である、装置。
【請求項２４】
金属シートを切断するための装置であって、
上側フレームと、
前記上側フレームに連結された下側フレームと、
前記上側フレーム内で回転するように取り付けられた上側駆動シャフトアッセンブリ、及び、前記下側フレーム内で回転するように取り付けられた下側駆動シャフトアッセンブリであって、該駆動シャフトアッセンブリの各々は複数の駆動シャフト区分を有し、各々の区分は、夫々のフレームで回転するため隣接する駆動シャフト区分に解放可能に連結され、前記駆動シャフトアッセンブリの各々の隣接する駆動シャフト区分は、前記装置を保守点検するため互いから選択的に連結解放されるように構成されている、前記上側及び下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断し、前記上側フレームは、異なる厚さを持つ金属シートを切断するため、前記第１及び第２の刃保持アッセンブリの刃の相対的垂直方向位置決めを調整するように、前記下側フレームに対して移動可能である、前記複数の回転式刃と、
前記駆動シャフトアッセンブリの各々に沿って前記刃保持アッセンブリを移動させるため前記刃保持アッセンブリの各々に作動的に連結された刃保持位置調整システムと、
前記駆動シャフトアッセンブリの各々に沿って前記刃保持アッセンブリを位置決めするため前記刃保持位置調整システムに作動的に連結されたプログラム可能なコントローラと、
を備える、装置。
【請求項２５】
金属シートを切断するための装置であって、
フレームと、
前記フレーム内で回転するように取り付けられた上側駆動シャフトアッセンブリと、
前記フレーム内で回転するように取り付けられた下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
前記駆動シャフトアッセンブリの各々に沿って前記刃保持アッセンブリを移動させるため前記刃保持アッセンブリの各々に作動的に連結された刃保持位置調整システムと、
前記刃保持位置調整システムを制御するためのコントローラと、
を備える、装置。
【請求項２６】
金属シートを切断するための装置であって、
上側フレームと、
前記上側フレームに連結された下側フレームと、
前記上側フレーム内で回転するように取り付けられた上側駆動シャフトアッセンブリと、
前記下側フレーム内で回転するように取り付けられた下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
異なる厚さを持つ金属シートを切断するため、前記第１及び第２の刃保持アッセンブリの刃の相対的垂直方向位置決めを調整するように、前記下側フレームに対して前記上側フレームを移動するためのフレーム移動手段と、
を備える、装置。
【請求項２７】
金属シートを切断する方法であって、
前記金属シートの第１の組のパラメータを、電子入力装置に入力し、
前記金属シートから切断されるべきマルトの第２の組のパラメータを前記電子入力装置に入力し、
複数の刃ブレードに関する形状を作り出すためコンピュータ内で前記第１及び第２の組のパラメータを処理し、
前記形状に従って切断装置の前記複数の刃ブレードを自動的に位置決めする、各工程を備える、方法。
【請求項２８】
切断装置のシャフト上に取り付けられた刃保持アッセンブリを保守点検する方法であって、
シャフトの第１及び第２の区分の間の接合部に向かって前記刃保持アッセンブリを移動し、該シャフトの該区分は、前記切断装置の作動中に互いに略直線上に並んでおり、
前記シャフトの前記第１の区分を前記第２の区分に対して移動し、これにより、前記区分の間の前記接合部に近接して位置決めされた刃保持アッセンブリへのアクセスを向上させ、
前記刃保持アッセンブリを保守点検し、
前記第１の区分を前記切断装置のための作業上の配列へと前記第２の区分に対して移動する、各工程を備える、方法。
【請求項２９】
厚さの異なる金属シートを切断するように切断装置を作動させる方法であって、
装置フレームの上側及び下側に回転用に取り付けられた略平行な上側及び下側シャフトにより駆動される、複数の回転式刃ブレードの間の間隙内へと第１の厚さの第１の金属シートを通過させ、
前記刃ブレードを用いて前記第１の金属シートを第１の組のマルトへと切断し、
前記上側シャフトを前記下側シャフトに対して移動させ、これにより、該上側及び下側シャフトにより駆動される刃の相対的垂直方向配置を変化させ、
前記上側シャフトは、該上側シャフトの該下側シャフトに対する移動の間、該下側シャフトに対して略平行のままであり、
前記第１の厚さとは異なる第２の厚さの第２の金属シートを、前記刃ブレードの間の前記間隙内に通過させ、
前記刃ブレードを用いて前記第２の金属シートを第２の組のマルトへと切断する、各工程を備える、方法。
【発明の詳細な説明】
【技術分野】
【０００１】
本発明は、概して、シート金属をマルト又はストライプに細長く切断するためのスリッター装置に係り、より詳しくは、該スリッター装置により処理されるマルトのサイズ及び／又は数を変化させるための調整可能な刃を有するスリッター装置に関する。
【背景技術】
【０００２】
製造機械装置により生成されるほとんどの鋼鉄は、渦巻き状に巻いた鋼鉄シートの形態にあるが、打ち抜かれるか又は他の仕方で成形される製造物の大きさにシートの幅が相当することはめったにない。従って、鋼鉄シートは、通常、特別の製造物に適したサイズへと長さ方向に細長く切断される。実際には、特別の切断装置が、この目的のために作られる。
【０００３】
典型的な切断装置は、２つの動力付きシャフト又は心棒上に対をなして配列された円形ブレード又は刃を有し、各対の一つの刃が心棒のうち一つに存在し、この対の第２の刃は他の心棒上に存在する。心棒は、逆回転するように駆動システムに接続されている。作動中には、シート金属は、心棒の間に移動され、心棒上で逆回転する刃によりマルトへと切断される。実際には、各刃は、平坦面と、比較的鋭い切断又はせん断エッジで端部面と交差する円柱周辺面と、を有する硬化鋼鉄ディスクに過ぎない。各対のディスクは、しばしば僅かな重なりで、それらの夫々の心棒に配置されている。重なりがあろうが無かろうが、各対の刃は、金属シートがそれらの刃の間を通過するとき、該金属シートを切断又はせん断することを可能にするため互いに十分に近接して配置されている。換言すれば、金属シートは、対の２つの刃の間に引き込まれ、ディスク状刃は、当該シートを、両切断エッジに沿ってせん断し、かくして、シートのきれいな長さ方向の切断を達成する。ディスク状刃が対で配列されているのみならず、刃の対は、切断シートの長さ方向セグメントが、切断装置から現れたとき、ねじれ又は螺旋状になることを防止するため、通常、左手及び右手形状へと構成される。
【０００４】
マルトのサイズは、心棒の刃の間隔により決定される。これらの刃は、装置の作動中、それらの夫々の心棒上に動かないように固定されている一方で、刃エッジを鋭くするため取り外しでき、或いは、セグメントの幅を変えることができるように、再度位置決めすることができる。しかし、切断装置の心棒上に刃を設定することは、退屈であり、時間を費やす作業であり、高度な技能を必要とする。切断のため適切な幅を取得するためのみならず、きれいで高品質な切断も維持するためにも、刃を、かなりの精度で位置決めしなければならない。
【０００５】
ある種類の切断装置では、刃は、心棒に亘って摺動するハブ上に載置され、所望の位置にセットねじで固定される。対の刃を所望の位置に設定するために、刃の対から所望される切断の位置は、装置上の参照位置からテープ測定で測定することにより、位置決めされる。刃のうち一つは、その心棒上で、テープ測定で位置決めされた地点まで移動され、そのハブのセットねじは、刃を固定するため、回転される。一旦刃が位置決めされたならば、表示ゲージは、心棒がゆっくりと回転される間に刃に対抗して配置されるべきである。表示ゲージを用いて、刃は、ぐらつくかチェックされ、通常、セットねじを緩め、刃を軽くタッピングすることにより、ぐらつきを無くすように調整されなければならない。同じ処置が、対のうちの他の刃にも繰り返され、その位置が以前の刃の位置からのみ決定され、通常、２つの刃の両切断エッジの間に、金属シートの厚さの７乃至１０パーセントのオーダーで軸方向に隙間が存在する。シート金属から生成されるマルトのサイズ及び数を変えるために、ハブが心棒から解放され、新しい位置まで移動されなければならない。シート金属で切断されるべきマルトの数の変化による要求に応じて、新しいハブが追加されたり、或いは、現存するハブが除去されたりする。
【０００６】
別の種類の切断装置では、スペーサーが刃を分離する。これらのスペーサーは、従来の心棒に固有のぐらつきを最小にするのに十分な精度で機械加工され、十分大きく作られている。しかし、適切に刃を配置するためにはスペーサー及びシムの選択に複雑さを与えることになる。スペーサー及びシムの選択は、かなりの熟練度を要する。更には、刃を斜めにしたり、それらが回転するときに振動を形成する刻み目を回避するため、スペーサーは、注意深く操作されなければならない。
【０００７】
シート金属から生成されるマルトのサイズ及び数を変更するために、スペーサーは、心棒から取り外され、新しい切断パターンに適合された新しい組のスペーサーで代替されなければならない。
【０００８】
過去においては、そのような代替及び調整は、一般的には、手で実行されていた。手による労働を用いることは、高価となり、一つの切断ジョブを次の切断ジョブに転換するプロセスを遅くしていた。代替及び調整のタスクは、物理的に困難であり、しばしば、作業者が、重いハブ又はスペーサーを安心できそうもない高さにまで持ち上げることを必要としていた。更には、スペーサーが使用された場合には、異なるサイズ及び数のマルトを切断する際に柔軟性を提供するためそのようなスペーサーの相当大きな目録を維持することが必要であった。
【０００９】
そのような問題を解決するための一つの従来の試みが、金属を切断するための装置に関する、米国特許番号４，８８７，５０２号に開示されている。該装置は、上側及び下側の動力付き心棒と、該上側及び下側の動力付き心棒と夫々整列する、上側及び下側の保管心棒と、を備えている。各々の動力付き心棒は、これらの心棒に沿ってハブに取り付けられている幾つかの刃を支持し、回転させ、必要でないときのこれらの刃は、整列された保管心棒上にそれらのハブに沿って移動させることができる。各刃は、ビームのうちの一つに沿って移動するキャリッジに捕捉されている。刃は、停止部を有するキャリッジを駆動するリードねじを通して位置決めされており、該停止部に対して、上側及び下側心棒上の刃は、手動で移動され、停止部との接触を通して所定位置に設定される。キャリッジは、対の刃を実際に捕捉し、それらを正確な位置に移動させる指部が設けられている。
【００１０】
特定の切断作業用の切断装置を再構成する必要性を無くすために、切断ラインは、ラインへと移動し、ラインから移動することができる異なる刃形態を有する多重スリッターを備えていてもよい。
【特許文献１】
米国特許番号４，８８７，５０２号
【発明の開示】
【発明が解決しようとする課題】
【００１１】
心棒上の刃の交換又は保守点検を始めとして、オペレータ又は使用者の役割に関して最小の労力で済む、自動的に設定、調整することができる切断装置のための技術の必要性が依然として残されている。
【課題を解決するための手段】
【００１２】
本発明は、これまでに知られてきた、切断システム及び切断方法の前述及び他の短所及び欠点を克服する。本発明は、幾つかの実施例と関連して説明されるが、本発明は、これらの実施例に限定されるものではないと理解されよう。それどころか、本発明は、本発明の精神及び範囲以内で含まれ得る、全ての代替例、変形例及び均等物を含んでいる。
【００１３】
上記及び他の必要性は、上側及び下側フレームと、上側及び下側回転式シャフトと、各々のシャフトに沿って移動するため支持される刃保持アッセンブリの対と、を有するＣＮＣ切断装置により取り組まれる。各々の刃保持アッセンブリは、刃を取り付けるための心棒を支持する。好ましくは、回転式上側及び下側シャフトは、上側及び下側フレームないに各々取り付けられる。駆動モーターは、回転するためのシャフトアッセンブリに作動的に連結されている。
【００１４】
現在のところ好ましい一実施例の切断装置は、刃保持位置調整システムを備え、該システムは、各々の駆動シャフトに沿ってアッセンブリを移動するため刃保持アッセンブリの各々に作動的に連結されている。当該装置は、各刃保持アッセンブリと連係する刃保持位置調整システムに電気接続されるプログラム可能な論理コントローラを遊離に備えている。各刃保持アッセンブリと連係する刃保持位置システムと組み合わせられた、プログラム可能な論理コントローラは、刃保持アッセンブリをシャフトに沿って位置決めし、シャフトで刃を回転するため適所に刃保持アッセンブリを固定する。現在のところ好ましい装置は、１から５個のマルトを切断することができる。ジョブを変えるために、オペレータは、作動ステーションに立ち、所望の数のマルト、所望の個々のマルト幅、材料の厚さ、協働する上側及び下側刃の間の水平方向隙間の所望のパーセンテージ、所望の相対的垂直方向刃位置、及び、中心線からの所望のオフセット距離を、プログラム可能な論理コントローラに連結されたヒューマン対マシーン（ＫＭＩ）インターフェースに入力する。切断装置それ自体は、装置を自動的に設定する。
【００１５】
プログラム可能な論理コントローラは、好ましくは、閉ループのフィードバック制御システムの一部分であり、該制御システムは、刃の位置又は移動を監視するセンサーから１つ以上の信号を受信し、刃の検出された位置又は移動に応答してシャフト上に刃を適切に位置決めする。
【００１６】
切断装置の代替の好ましい実施例では、駆動シャフトアッセンブリは、装置フレームで回転するため互いに解放可能に連結された、幾つかの駆動シャフト区分を各々備えている。一実施例では、各々の駆動シャフトアッセンブリは、単一の細長い駆動シャフトアッセンブリを形成するため互いに解放可能に連結された一対の駆動シャフト区分を備える。各駆動シャフトの隣接する駆動シャフト区分の対は、駆動シャフト区分の間の接続部に近接して配置された刃保持アッセンブリで刃の修理又は交換等、装置を保守点検するため選択的に互いから連結解除される。現在のところ好ましい一実施例では、各駆動シャフト区分は、該区分から軸方向に突出するスピンドルを備え、カップリングは、隣接する駆動シャフト区分の対でスピンドルを解放可能に接続する。ねじは、駆動シャフト区分の少なくとも１つに接続され、それにより、ねじの回転が、接続された駆動シャフト区分を隣接するシャフト区分から軸方向に引き離し、これにより、駆動シャフト区分の対の間の接続部に近接して、刃保持アッセンブリ及び連係する刃へのアクセスを提供する。
【００１７】
本発明に係る切断装置の別の好ましい実施例では、本装置の上側及び下側フレームは、一緒に枢動可能に連結される。上側フレームは、異なる厚さを持つ金属シートを切断するため上側及び下側刃アッセンブリに支持された刃の相対的垂直方向位置決めを調整するように、下側フレームに対して移動可能である。一対のジャッキねじの形態にあるフレーム調整機構は、上側及び下側フレームの間に取り付けられ、これと同時に、ジャッキねじの各々に連結されたアクチュエータはジャッキねじを調整し、上側フレームを、駆動シャフトに略垂直な方向に下側フレームに対して移動させる。好ましくは、上側フレームは、移動の間に、下側フレームに対して略平行のままである。
【００１８】
本発明の様々な実施例の結果として、切断装置は、容易に且つ効率的に設定され、ＨＭＩインターフェースを介してオペレータによって、様々なサイズのマルトを切断するためのプログラム可能な論理コントローラ及び刃の保持位置調整システムを、有意な装置休止時間及び労力のかかる手続き無しに、再構成される。更には、本装置は、下側フレームに対して上側フレームを便利に調整することによって、異なる厚さの金属シートを切断するため容易に調整可能である。その上、本装置の一実施例では、駆動シャフトアッセンブリの各々は、刃及びは保持アッセンブリの便利な保守点検及び／又は交換のため互いから連結解除することができる、区分へと分割又は区分化される。
【００１９】
本明細書に組み込まれ、その一部分を構成する添付図面は、上述した本発明の概略的説明及び以下で与えられる実施例の詳細な説明と共に、本発明の実施例を示し、本発明の原理を説明する。
【００２０】
本発明の目的及び特徴は、添付図面と関連してなされる次の詳細な説明から、より容易に明らかとなろう。
【実施例】
【００２１】
図１で参照される、本発明の現在のところ好ましい実施例に係る切断装置１０は、例えば鋼鉄シート等の金属シート１２を、スリット１６に沿って所望の幅の多重セグメント又はマルト１４へとせん断するため使用される。金属シート１２は、製造機械装置、又は、コイル１８の形態の機械製造製品の他の供給手段から通常提供される。コイル１８は、スプール２０上に支持されている。金属シート１２は、コイル１８から引き出され、装置１０に供給される。典型的には、金属シート１２は、コイルセットを除去するため、直線化装置２２を通過する。代替例として、シート１２は、好ましくは斜交ローラーテーブル（図示せず）等の援助でもって、個々の区分内の装置１０へと供給されてもよい。
【００２２】
図１及び図２を参照すると、切断装置１０の現在のところ好ましい実施例は、その間隔を隔てた端部で下側フレーム２８に移動可能に連結された上側フレーム２６を備えている。装置１０の上側及び下側フレーム２６、２８は、回転するように内部に夫々取り付けられた、上側及び下側駆動シャフトアッセンブリ４４、４６を備えている。駆動シャフトアッセンブリ４４、４６は、間隔を隔てた駆動ブロック枕状ブロックベアリング４８により夫々のフレーム２６、２８内に支持されている。上側及び下側駆動シャフトアッセンブリ４４、４６の対応する端部は、分離したユニバーサルカップリング５２によりギアボックス５０に連結されている。モーター５４は、ギアボックス５０を介して、ユニバーサルカップリング５２及び最終的には駆動シャフトアッセンブリ４４、４６に回転運動を提供するためギアボックス５２に接続されている。駆動シャフトアッセンブリ４４、４６は、それらの間を通過する金属シート１２を引っ張り切断するため互いに逆方向に回転される。
【００２３】
多数の刃保持アッセンブリ５６が、図２及び図３に示されているように、上側及び下側駆動シャフトアッセンブリ４４、４６に沿って運動するため支持されている。刃保持アッセンブリ５６は、上側及び下側フレーム２６、２８において、夫々、上側及び下側駆動シャフトアッセンブリ４４、４６に沿って間隔を隔てた位置で協働対で支持されている。切断されるべき金属シート１２は、図２に示されているようなパスラインＰＡに沿って、上側シャフト４４上の刃保持アッセンブリ５６と、下側シャフト４６上の刃保持アッセンブリ５６と、の間を通過する。各々の上側刃保持アッセンブリ５６は、金属シート１２を切断し、せん断し、或いは、他の仕方で切断するため、各々の対応する対の対応する下側刃保持アッセンブリ５６の回転刃５８と協働する回転刃５８を備える。５つのストライプ又はマルト１４を生成するため総合して１２個の刃保持アッセンブリ５６（６対）が、図１に示されている。しかし、刃保持アッセンブリ５６の厳密な数は、マルト１４及び切断される金属シート１２の所望の幅及び形態に依存することが容易に理解されるべきである。
【００２４】
刃保持アッセンブリ５６の各々は、夫々の駆動シャフトアッセンブリ４４、４６に沿って移動するため支持されるのみならず、固定式上側ねじ切りシャフト６０又は固定式下側ねじ切りシャフト６２のいずれかにも作動的に連係されている。図５及び図６に示されるように、夫々の固定式又は静止ねじ切りシャフト６０、６２は、刃保持アッセンブリ５６の各々でボールナット６４を通過する。各々のボールナット６４は、位置決めモーター６６に接続され、該モーターは、同様に本発明の一態様に係るプログラム可能な論理コントローラ６８に電気的に接続されている。位置決めモーター６６は、サーボモーター、ステッパーモーター、ＤＣモーター、ＡＣベクトルモーター、気圧モーター、液圧モーター、線形誘導モーター又は他の任意種類のモーターの駆動モーターであってもよい。プログラム可能な論理コントローラ６８は、使用者からデータ入力を受け取るタッチスクリーン等（図１）のヒューマンマシーンインターフェース（ＨＭＩ）７０に連結されており、コントローラ６８がこれらの使用者の入力を受け取ると共に切断装置１０の作動を制御するようにしている。ねじ切りシャフト６０、６２、ボールナット６４、位置決めモーター６６、プログラム可能な論理コントローラ６８、並びに、これらの関連する構成部品は、以下に詳細を後述されるように、金属シート１２を切断する前に、適切で効率的且つ正確な位置決めのため夫々の駆動シャフトアッセンブリ４４、４６に沿って個々の刃保持アッセンブリ５６を移動させる刃保持位置調整システムを形成するために寄与している。
【００２５】
本発明に係る切断装置１０の別の態様では、各々の駆動シャフトアッセンブリ４４、４６は、図２、図７及び図８に示されるように、一対の駆動シャフト区分７４を備える。駆動シャフト４４、４６の各々のための駆動シャフト区分７４の対は、各駆動シャフト４４、４６のための駆動シャフト区分７４の対を分離することができるように、選択的に連結解除されるように構成されている。各駆動シャフト区分７４は、スピンドル７６を備え、該スピンドルは、夫々の対の隣接する駆動シャフト区分７４上のスピンドル７６とは反対方向に軸方向に突出する。区分７４の対が一緒に連結されるとき、管状カップリング７７が、シャフトの長さに沿って駆動シャフトアッセンブリ４４、４６の回転運動を伝達するようにスピンドル７６を取り巻いている。
【００２６】
刃保持アッセンブリ５６の様々な構成部品の修理、交換又は保守点検のため夫々の刃保持アッセンブリ５６の刃ブレード５８への便利で効率的なアクセスを提供するために、駆動シャフト区分７４は、図７及び図８に示されるように、ハンドル８０の形態で、アクチュエータの回転を通して連結解除することができる。詳しくは、使用者はハンドル８０を回転し、これにより、カラー８２をねじ８４へとねじ込む。カラー８２は、駆動シャフト区分７４の端部の枕状ブロックベアリング４８に接続されており、これによって、ねじ８４の回転によるカラー８２の引き込みは、同様に枕状ブロックベアリング４８及びこれに接続された駆動シャフト区分７４を、図８に示すように、隣接する駆動シャフト区分７４から離れるように軸方向に引き込む。駆動シャフト区分７４の引き込みは、保守点検、修理、交換等のための刃保持アッセンブリ５６及び関連する構成部品への技術者のためのアクセスを向上させることを可能にする。
【００２７】
適切な刃保持アッセンブリ５６は、適切な保守点検のため駆動シャフト区分７４の間の接合部に近接した位置へと、便利に且つ効率的に移動させることができる。一旦、保守点検が完了すると、ハンドル８０の逆回転は、同様に、カップリング７７との引き続く再連結及び切断装置１０の作動のため、引っ込まれた駆動シャフト区分７４を隣接する駆動シャフト区分７４に向かって前進させる。駆動シャフト区分７４を一緒に連結し及び連結解除するため、それを移動するための一つの特定の構成が本文中で示された説明されたが、本発明の範囲内で代替構成を提供することができることが理解されるべきである。例えば、保守点検技術者による要求に応じて駆動シャフト区分７４を互いに対して移動するため、サーボモーター又は他の自動化プロセスの利用に頼るようにしてもよい。同様に、カップリング７７の有無に拘わらず、駆動シャフト区分７４を一緒に連結するための様々な構成及び技術的手段を、本発明の範囲内で利用することができる。
【００２８】
図２から図３を参照すると、本発明の現在のところ好ましい実施例に係る切断装置１０の別の特徴が、切断装置１０の上側及び下側フレーム２６、２８の間隔を隔てた両端部の間に配置された一対のジャッキねじ８６を備えている。ジャッキねじ８６は、装置１０の前部に近接した上側及び下側フレーム２６、２８の間に位置決めされている。上側及び下側フレーム２６、２８は、装置１０の背部に近接した枢動シャフト８８の回りに一緒に枢動連結されている。上側フレーム２６が枢動シャフト８８の回りに下側フレーム２８に対して枢動運動することができる間に、下側フレーム２８は静止している。一対のダイスプリング（図示せず）は、切断装置１０の夫々の両側に、上側フレーム２６及び下側フレーム２８の間に接続されてもよく、それらの接続ポイントで上側フレーム２６及び下側フレーム２８の間のクリアランスを無くすため、ジャッキねじ８６に近接してもよい。ジャッキねじモーター９０は、ジャッキねじモーター８６の一方に、及び、２つのジャッキねじ８６を一緒に連結するジャッキねじ移送シャフト９２に回転入力を提供するように取り付けられている。輸送シャフト９２を夫々のジャッキねじ８６に連結するため、該輸送シャフト９２の間隔を隔てた端部の各々にカップリングスリーブ９４が取り付けられている。
【００２９】
作動中には、ジャッキねじモーター９０は、隣接するジャッキねじ８６に、及び、輸送シャフト９２を通して反対側のジャッキねじ８６に回転入力を提供する。ジャッキねじモーター９０は、プログラム可能な論理コントローラ６８に電気接続され、ＨＭＩインターフェース７０を介してオペレータにより入力された入力に従ってコントローラ６８からの指令を受け取る。モーター９０の回転は、枢動シャフト８８の回りに静止した下側フレーム２８に対して上側フレーム２６を枢動移動するため、これと同時にジャッキねじ８６を昇降させる。その結果、上側及び下側駆動シャフトアッセンブリ４４、４６の間の間隔は、ジャッキねじモーター９０の回転により調整可能となり、ジャッキねじ８６の延長又は引き込みを引き起こす。上側及び下側フレーム２６、２８の運動及びこれに伴う駆動シャフトアッセンブリ４４、４６の互いに対する運動は、切断のための刃保持アッセンブリ５６の間を通過する異なる厚さの金属シート１２に適合するため、刃保持アッセンブリ５６に支持された回転刃５８の相対的垂直方向位置決めを制御する。ジャッキねじ８６の各々に連結されたジャッキねじモーター９０は、両方のジャッキねじ８６のより正確な調整を可能にし、下側駆動シャフトアッセンブリ４６に対する上側駆動シャフトアッセンブリ４４の全体の運動は、当該運動を通して略平行な配位となる。その結果、下側駆動シャフトアッセンブリ４６上の刃保持アッセンブリ５６に対する上側駆動シャフトアッセンブリ４４上の刃保持アッセンブリ５６の間の垂直間隔は、一致し、夫々の刃保持アッセンブリ５６の横方向位置に依存して変動しないことになる。ジャッキねじモーター９０は、ハンドル（図示せず）、又は、ジャッキねじ８６を移動することができる他の任意の適切な装置に、所望時に代替することができることが理解されよう。その上、ジャッキねじ８６は、枢動シャフト８８の回りに下側フレーム２８に対して上側フレーム２６を移動することができる他の任意種類のモーターに代替することができることが理解されよう。
【００３０】
図９及び図１０に示されるように、下側フレーム２８に対する上側フレーム２６の正確な整列は、下側フレーム２８に固定されたＵ字形かぎ３２内に収容された上側フレーム２８に固定された整列ブロック３０により提供される。整列ブロック３０及びＵ字形かぎ３２の許容範囲は、上側及び下側フレーム２６、２８の互いに対する適切な登録を確保するように選択される。整列ブロック３０及び／又はＵ字形かぎ３２の係合表面は、上側フレーム２６の固定した下側フレーム２８に対する繰り返された運動を通した整列構成部品の磨耗を減少させるため、適切な材料で硬化処理されてもよい。
【００３１】
ここで、図２乃至図６を参照して、本発明に係る刃保持アッセンブリ５６の現在のところ好ましい実施例、並びに、刃保持アッセンブリ５６の位置がＣＮＣ切断装置１０で調整される態様を以下に説明する。刃保持アッセンブリ５６は、各対の一つの刃保持アッセンブリ５６が、上側駆動シャフトアッセンブリ４４に沿って位置決めされ、各対の相補的な刃保持アッセンブリ５６が下側駆動シャフトアッセンブリ４６に沿って位置決めされるように、上側及び下側駆動シャフトアッセンブリ４４、４６に沿って協働する対で支持されている。刃保持アッセンブリ５６は、切断装置１０内のそれらの配位を除いて、略同一である。従って、上側駆動シャフトアッセンブリ４４に沿って位置決めされた刃保持アッセンブリ５６を図３乃至図６を参照して説明する。同じ説明が、上側駆動シャフトアッセンブリ４４に沿って位置決めされた他の刃保持アッセンブリ５６の各々、並びに、再配位された位置にある下側駆動シャフトアッセンブリ４６に沿って位置決めされた刃保持アッセンブリの各々にも当てはまることが容易に理解されるべきである。
【００３２】
図３、図５及び図６に示されるように、各刃保持アッセンブリ５６は、該リテイナーブロック９６を備えており、上側のより小さい穴が９８及び下側のより大きい穴１００が該リテイナーブロック９６の前面及び後面の間を通過している。リテイナーブロック９６は、リテイナーブロック９６の側面側上で間隔を隔て、且つ、より小さい穴９８の方向に同様に向けられた露出面で位置決めされている、一対のアンカーフランジ１０２（図５）も備えている。一対の直線ベアリングブロックは、内部位置１０６又は外部位置１０８（図３）のいずれかで固定フランジ１０２の各々に間隔を隔てて取り付けられている。各々の直線ベアリングブロック１０４は、切断装置１０で長さ方向に延在し且つ刃保持アッセンブリ５６を支持するため内側及び外側のレイル対で提供されるレイル１１０のうち一つを捕捉するようにサイズが定められ形成されている。より詳しくは、一対の上側内部レイル１１０、一対の上側外部レイル１１０、一対の内部下側レイル１１０及び一対の外側下部レイル１１０が、夫々の刃保持アッセンブリ５６を支持するための装置１０に設けられている。
【００３３】
各々の刃保持アッセンブリ５６は、内側及び外側レイル対のうち一つにおいてレイル１１０の各々に直線ベアリングブロック１０４を介して連結されている。装置１０の上側フレーム２６及び下側フレーム２８上の内側及び外側レイル１０は、駆動シャフトアッセンブリ４４、４６上の隣接する刃保持アッセンブリ５６のより緊密な入れ子形態を有利に可能にする。第１の刃保持アッセンブリ５６は、夫々の上側装置フレーム２６又は下側装置フレーム２８の内側対においてレイル１１０の各々に直線ベアリングブロック１０４を介して連結されている。第１の刃保持アッセンブリに隣接する刃保持アッセンブリ５６は、該第１の刃保持アッセンブリ５６との干渉を回避するため外側対のレイル１１０にそれらの夫々の直線ベアリングブロック１０４を介して連結されており、隣接する刃保持アッセンブリ５６の緊密な入れ子式収容を可能にすると共に、比較的幅の狭いマルト１４のための金属シート１２の切断を可能にする。
【００３４】
図６に示されるように、各々の装置フレーム２６、２８の固定又は静止ねじ切りシャフト６０、６２のうちの一つは、各リテイナーブロック９６のより小さい穴９８を通って突出する。ボールナット６４は、各リテイナーブロック９６のより小さい穴９８に配置されたスリーブ１１２内に挿入される。ボールナット６４は、ねじ切りシャフト６０又は６２に螺合され、スリーブ１１２に固定され、それにより、ボールナット６４及びスリーブ１１２は、固定又は静止ねじ切りシャフト６０、６２に対して自在に回転する。開口１１４が、ボールナット６４を収容するため、スリーブ１１２内に形成されている。ボールナット６４の現在のところ好ましい実施例は、カタログ部品番号５７０４２７１としてトムソン−サジナウ（www.thomsonind.com）から市販されている。
【００３５】
特に図５及び図６に示されるように、ボールナット６４は、枢動マウント１１８によりリテイナーブロック９６の上側アーム１２０に取り付けられている位置決めモーター６６にギアベルト１１６により連結されている。位置決めモーター６６は、張力プレート１２２上の枢動マウント１１８により取り付けられ、張力調整機構１２４は、リテイナーブロック９６上の位置決めモーター６６及び張力プレート１２２の正確な位置決めを可能にする。位置決めモーター６６の出力シャフトに連結されたギアベルト１１６にかかる適切な張力は、張力調整機構１２４により維持される。本発明の現在のところ好ましい実施例に係るリテイナーブロック９６のボールナット６４に対する位置決めモーター６６の配位は、図３及び図５にその相対位置で正確に示されている。しかし、図６では、位置決めモーター６６は、刃保持アッセンブリ５６の他の構成部品により遮蔽されること無しに明瞭且つ完全な開示のために外れた位置で示されている。
【００３６】
刃保持アッセンブリ５６の各位置決めモーター６６は、プログラム可能な論理コントローラ６８に電気的及び動作可能に連結されている。プログラム可能な論理コントローラ６８は、同様に、ＨＭＩインターフェース７０（図１）に電気的及び動作可能に連結されている。各位置決めモーター６６は、ＨＭＩインターフェース７０を介してオペレータにより入力される入力に従ってプログラム可能な論理コントローラ６８からの指令を受け取り、作動時には、各々の位置決めモーター６６は、該位置決めモーター６６の出力軸及びボールナット６４の回りに張設されたギアベルト１１６を回転させる。位置決めモーター６６及び同様に固定又は静止ねじ切りシャフト６０、６２に螺合されたボールナット６４の適切な方向の回転は、刃保持アッセンブリ５６をねじ切りシャフト６０又は６２に対して適切な位置に移動させる。同様に、ボールナット６４及び位置決めモーター６６のアッセンブリは、モーター６６のトルクによる装置１０の作動の間に所望の位置で刃保持アッセンブリ５６を係止する。
【００３７】
上側及び下側駆動シャフトアッセンブリ４４、４６の各々の駆動シャフト区分７４は、駆動シャフト区分７４の外周部から径方向内側に突出するキー溝１２６を備える。キー溝１２６は、リテイナーブロック９６内の大きい穴１００に着座された心棒１３０から径方向内側に突出するキー１２８を受け入れるようにサイズが定められ構成されている。従って、心棒１３０は、リテイナーブロック９６に対して駆動シャフトと共に回転するため駆動シャフトアッセンブリ４４、４６に連結されている。同様に、心棒１３０は、心棒１３０と回転するための刃５８の両面上に取り付けられた一対のストリッパープレート１３２を備えた回転式ディスク形状刃５８を有する。ストリッパープレート１３２及び刃５８は、駆動シャフトアッセンブリ４４、４６と回転するため心棒１３０にボルト又は他の手段により取り付けられている。ボールベアリング１３４が、より小さい上側穴９８のところでスリーブ１１２及びリテイナーブロック９６の間に設けられ、ベアリング１４０が、図６に示されるように、リテイナーブロック９６のより大きい穴１００の内側表面と、心棒１３０との間に設けられている。スペーサー１３８及びボールベアリング１４０は、刃保持アッセンブリのリテイナーブロック９６に対する心棒１３０の自由回転運動を可能にするため備えられている。このようにして、ギアボックス５０及びユニバーサルカップリング５２を介してモーター５４から適切な駆動シャフトアッセンブリ４４、４６への回転入力は、金属シート１２の切断のため、心棒１３０、及び、これに伴うストリッパープレート１３２及び刃５８を駆動させる。
【００３８】
本発明の原理によれば、刃保持アッセンブリ５６、心棒１３０及び刃５８は、上側及び下側駆動シャフトアッセンブリ４４、４６により支持されていない。むしろ、刃保持アッセンブリ５６は、レイル１１０及び直線ベアリングブロック１０４を介して、上側及び下側フレーム２６、２８により上側及び下側駆動シャフトアッセンブリ４４、４６に沿って移動するため支持されている。このようにして、上側及び下側駆動シャフトアッセンブリは、刃５８にトルクを提供するためだけの、ねじれ部材である。従って、駆動シャフトアッセンブリ４４、４６は、切断動作の間、分離する負荷を一切受け取らない。この負荷は、刃保持アッセンブリから上側及び下側フレーム２８、２８に移行されるからである。
【００３９】
ここで、図１１を参照すると、現在のところ好ましい実施例に係る切断装置１０の制御システム２００が示されている。詳細に上述したように、上側及び下側駆動シャフトアッセンブリ４４、４６に沿った各刃保持アッセンブリ５６の所望位置への移動は、プログラム可能な論理コントローラ６８から位置決めモーター６６に印加された入力を介して制御される。制御システム２００は、夫々の上側及び下側駆動シャフトアッセンブリ４４、４６に沿った各刃保持アッセンブリ５６の位置を指し示すためプログラム可能な論理コントローラ６８への入力を提供する、上側及び下側刃保持アッセンブリ５６と連係した一対の上側及び下側直線エンコーダ２０２（図３及び図１２）を備えている。各直線エンコーダ２０２は、上側及び下側フレーム２６、２８により支持された細長いスケール２０４と、刃保持アッセンブリ５６のうちの一つに各々取り付けられている走査ユニット２０６と、を備えている。走査ユニット２０６は、コントローラ６８に電気的に連結されており、各直線エンコーダ２０２内に収容されているスケール２０８（図３）を読み取ってスケールデータをプログラム可能な論理コントローラ６８に提供するように作動可能であり、それにより、各刃保持アッセンブリ５６の位置が監視され、コントローラ６８により閉ループフィードバック制御で制御されるようにしている。本発明の切断装置１０で使用するための適切な直線エンコーダ２０２は、イリノイ州、シャウムバーグのハイデンハイン社から市販されている。しかし、他の直線エンコーダや他の位置検出システムも同様に可能である。
【００４０】
本発明の制御システム２００は、上側及び下側の回転式刃５８の相対的な垂直位置を調整するようにも作動可能である。詳細に上述されたように、固定した下側フレーム２８に対する上側フレーム２６の枢動運動は、ジャッキねじモーター９０によりジャッキねじ８６の作動を通して制御される。この目的のため、ジャッキねじモーター９０は、プログラム可能な論理コントローラ６８からの入力を受け取り、ＨＭＩインターフェース７０を介してオペレータにより入れられた入力に従ってジャッキねじ８６を伸縮させる。変換器２１０は、切断装置１０上に取り付けられており、上側及び下側回転式刃５８の相対的垂直位置を指し示すコントローラ６８への入力を提供するため、プログラム可能な論理コントローラ６８に電気的に連結されている。プログラム可能な論理コントローラ６８は、閉ループフィードバック制御で、上側及び下側刃５８の相対的垂直位置を監視し、調整するため、変換器２１０により発生されたデータも使用する。
【００４１】
ここで、図１２を参照すると、主要な「刃位置決めルーチン」３００が、上側及び下側刃保持アッセンブリ５６の上側及び下側駆動シャフトアッセンブリ４４、４６に沿った位置決めを制御するため、及び、本発明の原理に従って上側及び下側刃５８の相対的垂直方向位置決めを調整するため、本発明の制御システム２００により実行されることが示されている。より詳細を後述するように、「刃位置決めルーチン」３００は、主要には、５つのルーチンを含んでいる。これらのルーチンには、「値入力ルーチン」３０２、「自動始動ルーチン」３０４、「許容可能チェックルーチン」３２０、「刃位置ルーチン」３０６及び「刃位置チェックルーチン」３０８が含まれており、これらは、ＨＭＩインターフェース７０を介してユーザにより入力されたデータに従って、切断装置１０が自動的に該装置を設定することを可能にするためプログラム可能な論理コントローラ６８又はＨＭＩインターフェース７０により実行される。
【００４２】
より詳しくは、図１３を参照すると、「値入力ルーチン」３０２は、最初に、コントローラ６８、並びに、ユーザがステップ３１０でＨＭＩインターフェース７０を介してデータ又は値を入力するのを促進する該ＨＭＩインターフェース７０によって、実行される。これらの値は、所望のマルト１４の数、各マルト１４の所望の幅、シート１２の材料の厚さ、協働する上側刃及び下側刃５８の間の水平ギャップのパーセンテージ、上側及び下側回転式刃５８の所望の相対的垂直位置、及び、中心線からの所望のオフセット距離を含んでいる。しかし、他の入力も本発明の精神及び範囲から逸脱すること無く同様に可能である。ステップ３１２では、ＨＭＩインターフェース７０は、これらの入力値が、ＨＭＩインターフェース７０に以前に定義され格納された受容可能なサイズ制限以内に収まっているか否かを判定する。ユーザにより入力された値が受容可能である場合、ステップ３１０で受け取られた入力値は、ステップ３１４で、プログラム可能な論理コントローラ６８に格納される。受容可能でない場合には、入力された値のうち一つ又はそれ以上が受容可能な範囲から外れたということをオペレータに警告するため、ステップ３１６で、エラーメッセージが表示される。ユーザは、ステップ３１０で、受容可能な範囲以内にあるデータをＨＭＩインターフェース７０を通して入力し続けるように促進される。
【００４３】
受容可能な値が受信され、「値入力ルーチン」３０２からプログラム可能な論理コントローラ６８に格納された後、コントローラ６８は、「自動始動ルーチン」３０４を実行し、切断装置１０が、「値入力ルーチン」３０２の間に、ユーザにより入力されたデータに従って、刃保持アッセンブリ５６を自動的に位置決めすることを可能にする。「自動始動ルーチン」３０４は、図１４に示されており、ステップ３１８を備える。該ステップ３１８では、プログラム可能な論理コントローラ６８が、「自動始動」押しボタン（図示せず）がオンにされたか、即ちユーザにより作動されたか否かを判定する。「自動始動」押しボタンが可能にされた場合、「自動始動ルーチン」３０４が、「許可チェックルーチン」をステップ３２０で実行し、装置１０が適切に作動していることを確実にするため切断装置１０の様々な状態をチェックする。「許可チェックルーチン」３２０は、図１の主要な「刃位置ルーチン」３００の実行中に連続的に実行されている。他の場合、即ち「自動始動」押しボタンがステップ３１８で判定されたとき可能にされていない場合、制御は、図１３の「入力値ルーチン」３０２に戻らせられる。
【００４４】
「許可チェックルーチン」３２０がパスして、装置１０が適切に作動していることを示す場合、プログラム可能な論理コントローラ６８は、切断装置１０の「自動始動」能力を可能にし、ステップ３２２でユーザインターフェース７２に配置された「自動ライト」（図示せず）をオンにする。「許可チェックルーチン」３２０が失敗して、装置１０が適切に作動していないことを示す場合、プログラム可能な論理コントローラ６８は、切断装置１０の「自動始動」能力を不能にし、ステップ３２４で「自動ライト」（図示せず）をオフにし、図１３の「入力値ルーチン」３０２に戻らせられる。
【００４５】
ここで、図１５を参照して、プログラム可能な論理コントローラ６８により連続的に実行される「許可チェックルーチン」３２０を説明する。「許可チェックルーチン」３２０は、切断装置１０が適切に作動しているか否かを判定するためステップ３２６〜３３６で様々なシステムチェックを実行する。特に、コントローラ６８は、「緊急停止」又は「Ｅストップ」ボタン（図示せず）がオンになっているか、即ちユーザにより作動されているか否をステップ３２６で判定する。「Ｅストップ」押しボタンは、装置１０に配置されたユーザにより作動可能なボタンであり、「Ｅストップ」ボタンが、緊急の間等に、可能化されたとき、切断装置１０の全ての作動を直ちに停止させる。「Ｅストップ」押しボタンが可能化されていない場合、コントローラ６８は、切断装置１０の全ての伝達システムが適切に機能しているか否かを判定するため、ステップ３２８でチェックを実行する。ステップ３３０では、プログラム可能な論理コントローラ６８が、「自動停止」押しボタン（図示せず）がユーザによりオンにされ即ち作動されたか否かを判定する。「自動停止」押しボタンは、ユーザインターフェース７２に配置されたユーザ作動可能なボタンであり、該「自動停止」押しボタンが可能化されたとき、切断装置１０の「自動始動」作動を不能にし、「自動ライト」をオフにする。
【００４６】
図１５を更に参照すると、プログラム可能な論理コントローラ６８は、刃保持アッセンブリ５６のうち任意の２つ又はそれ以上が互いに干渉し合い、これにより切断装置１０を損傷するおそれがあるか否かを判定するため、ステップ３３２で、「刃移動クラッシュルーチン」を実行する。「刃移動クラッシュルーチン」３３２は、図１６に関連して後述される。ステップ３３４では、プログラム可能な論理コントローラ６８は、刃が上側及び下側駆動アッセンブリ４４、４６に沿った所望の位置に移動して該刃の移動が完了されたか否かを判定する。「許可チェックルーチン」３２０の最後の工程３３６では、プログラム可能な論理コントローラ６８は、制御システム２００が適切に作動しているか否かを判定するため、「自動監視追尾ルーチン」を実行する。「自動監視追尾ルーチン」３３６は、図１７に関連して後述される。ステップ３２６〜３３６で実行される許可チェックのうち任意の一つの失敗は、プログラム可能な論理コントローラ６８が切断装置１０の「自動始動」能力を不能にさせ、ステップ３３８で「自動ライト」をオフにし、図１３の「入力値ルーチン」３０２へと制御を戻らせる。
【００４７】
ここで、図１６を参照して、プログラム可能な論理コントローラ６８により実行される「刃移動クラッシュルーチン」３３２を説明する。ステップ３４０で、プログラム可能な論理コントローラ６８は、直線エンコーダ２０２の走査ユニット２０６により提供されるスケールデータを通して各刃保持アッセンブリ５６の移動及び位置を監視する。ステップ３４２で、プログラム可能な論理コントローラ６８は、刃保持アッセンブリ５６のステップ３１０で入力された値への移動が、それらの任意の２つ又はそれ以上が互いに干渉し合うか否かを判定する。これがその場合である場合、プログラム可能な論理コントローラ６８は、ステップ３４４で、他の全ての刃保持アッセンブリ５６がそれらの所望の位置へ移動し続けることを可能にする間に互いに干渉しようとする刃保持アッセンブリ５６の運動を停止させる。刃保持アッセンブリ５６が、ステップ３４２で判定されたとき、互いに妨害しない場合には、制御は、ステップ３４０に戻る。
【００４８】
ここで、図１７を参照してプログラム可能な論理コントローラ６８により実行される「自動監視追尾ルーチン」３３６を説明する。ステップ３４６では、コントローラ６８は、直線エンコーダ２０２の走査ユニット２０６により提供されるスケールデータを通して各刃保持アッセンブリ５６の移動及び位置を監視する。ステップ３４８では、コントローラ６８は、各刃保持アッセンブリ５６が、コントローラ６８内に格納された所定周期の時間以内にそれらの所望の位置に達したか否かを判定する。刃保持アッセンブリ５６の任意の一つが、ステップ３４８で判定されたとき、所定周期の時間以内にその所望の位置に達しない場合、コントローラ６８は、許可チェックがステップ３５０で失敗したということを指し示し、詳細を上述したように、制御は、ステップ３３８に戻る。
【００４９】
ここで、図１８を参照して、図１２の主要な「刃位置決めルーチン」３００の間にプログラム可能な論理コントローラ６８により実行される「刃位置ルーチン」３０６を説明する。「刃位置ルーチン」３０６は、刃保持アッセンブリ５６を、ステップ３１０でユーザにより入力されたデータに従って、それらの所望の位置に移動させることに起因している。ステップ３５２では、コントローラ６８は、ステップ３１０でユーザにより入力され、「入力値ルーチン」３０２（図１３）のステップ３１４で格納された値を読み取る。ステップ３２０では、コントローラ６８は、ステップ３５４で、ユーザが切断装置１０の中心線に沿ってシート１２を走らせることを選択したか否かを判定する。ユーザがステップ３１０の間にオフセット値を入力した場合、コントローラ６８は、ステップ３５６で、装置の中心線からの所望のオフセット距離を読み取る。ステップ３５８及び３６０では、コントローラ６８は、刃保持アッセンブリ５６の必要となる移動方向を決定し、ステップ３１０でユーザにより入力された全てのモルトの要求を、制御システム２００により決定されたときの刃保持アッセンブリ５６の実際の位置と比較する。
【００５０】
更に、図１８を参照すると、ステップ３６２で、コントローラ６８は、上側及び下側刃保持アッセンブリ５６の全てを、上側及び下側駆動シャフトアッセンブリ４４，４６に沿って、それらの所望の位置に向かって略急速な速度で、上下動し又はステップ移動させる。ステップ３２０では、コントローラ６８は、図１５に関連して説明された「許可チェックルーチン」を再び実行する。「許可チェックルーチン」３２０がパスした場合、コントローラ６８は、ステップ３６４で、上側及び下側刃保持アッセンブリ５６が、上側及び下側駆動シャフトアッセンブリ４４、４６に沿ったそれらの所望の位置に近づいているか否かを判定する。近づいていない場合、コントローラ６８は、ステップ３６６で、上側及び下側刃保持アッセンブリ５６を、略急速な速度でそれらの所望の位置に向かって上下動し又はステップ移動させ続け、制御は、「許可チェックルーチン」３２０に戻る。コントローラ６８がステップ３６４で、刃保持アッセンブリ５６の１つ又はそれ以上が上側及び下側駆動シャフトアッセンブリ４４、４６に沿ったそれらの所望の位置に近づいているとステップ３６４で判定した場合、コントローラ６８は、ステップ３６８で、刃保持アッセンブリ５６のそれらの所望の位置への非常に正確な移動を確実にするため、それらの刃保持アッセンブリ５６を、より低い速度で、それらの所望の位置に接近させ、ステップ移動させる。ステップ３２０で、コントローラ６８は、図１５に関連して説明された「許可チェックルーチン」を再び実行する。「許可チェックルーチン」３２０が、「刃位置ルーチン」３０６の実行中の任意時刻で失敗した場合、コントローラ６８は、切断装置１０の「自動始動」能力を不能にし、ステップ３３８（図１５）で、「自動ライト」をオフにする。制御は、図１３の「入力値ルーチン」３０２に戻る。このようにして、制御システム２００は、刃保持アッセンブリ５６を、上側及び下側駆動シャフトアッセンブリ４４、４６に沿ってそれらの所望の位置に、迅速に、正確に且つ安全に移動させる。
【００５１】
ここで、図１９を参照して、図１２の主要な「刃位置決めルーチン」３００の間に、プログラム可能な論理コントローラ６８により実行される「刃位置チェックルーチン」３０８を説明する。ステップ３７０で、コントローラ６８は、上側及び下側刃保持アッセンブリ５６の各々が、上側及び下側駆動シャフトアッセンブリ４４、４６に沿ったその所望の位置に達したか否を判定する。もし達していない場合には、制御は、図１８の「刃位置ルーチン」３０６に戻り、残っている刃保持アッセンブリ５６の各々が、図１８の「刃位置ルーチン」３０６と連係して詳細を上述されたように、所望のマルト１４のためのその所望位置にまで移動させる。
【００５２】
更に図１９を参照する。ステップ３１０でユーザにより入力された所望のマルト１４のため全ての刃保持アッセンブリ５６が上側及び下側駆動シャフトアッセンブリ５６に沿って適切に位置決めされる場合には、コントローラ６８は、ステップ３７４で、ステップ３１０でユーザにより入力された垂直刃位置データに従って、上側及び下側刃５８の所望の相対的垂直位置を設定するため、ジャッキねじモーター９０を作動させる。ステップ３７６では、コントローラ６８は、変換器２１０（図１１）により発生されたデータを通して、ジャッキねじ８６の移動を監視し、上側及び下側刃５８の所望の相対的垂直刃位置が達せられたか否かを判定する。もし達していない場合には、制御は、ステップ３７４に戻り、コントローラ６８が、ステップ３１０でユーザにより入力された垂直刃位置データに従って、上側及び下側刃５８の所望の相対的垂直位置を設定するため、ジャッキねじモーター９０を作動させる。上側及び下側刃５８の所望の相対的垂直刃位置が達せられたとｋ、制御は、図１３の「入力値ルーチン」３０２のステップ３１０に戻る。
【００５３】
従って、プログラム可能な論理コントローラ６８による図１２の主要な「刃位置決めルーチン」３００の実行を通して、刃保持アッセンブリ５６は、ＨＭＩインターフェース７０を通してユーザが入力した適切なデータにより、夫々の上側及び下側装置フレーム２６、２８に、正確に、効率的に及び安全に位置決めさせることができる。入力データには、所望のマルト１４の数、各マルト１４の所望の幅、シート１２の材料の厚さ、協働する上側及び下側刃５８の間の水平ギャップの所望のパーセンテージ、上側及び下側刃５８の所望の相対的垂直位置、及び、中心線からの所望のオフセット距離が含まれている。しかし、本発明の精神及び範囲から逸脱すること無しに他の入力データも同様に可能である。この情報は、プログラム可能な論理コントローラ６８で処理される。該プログラム可能な論理コントローラ６８は、位置決めモーター６６の各々に適切な指令を送り、夫々のボールナット６４の回転を引き起こし、これにより、駆動シャフトアッセンブリ４４、４６に沿って刃保持アッセンブリ５６を適切に位置決めする。該プログラム可能な論理コントローラ６８は、ジャッキねじモーター９０も作動させて、上側及び下側刃５８の所望の相対的垂直位置を達成させる。切断装置１０の手動操作、分解及び中断時間の延長は、本発明に係るＣＮＣ切断装置を用いて回避される。
【００５４】
本発明の一般的な原理の上記開示並びに少なくとも１つの好ましい実施例の前述の詳細な説明から、当業者は、本発明が受けることができる様々な変形を理解するであろう。従って、本発明は、請求の範囲及びその均等物の範囲によってのみ、限定されるのが望ましい。
【図面の簡単な説明】
【００５５】
【図１】図１は、金属シートが切断され、本装置と関連して使用される他の構成部品を備える、現在のところ好ましい実施例に係る切断装置の斜視図である。
【図２】図２は、本発明に係る切断装置の側面図である。
【図３】図３は、上側及び下側駆動シャフトアッセンブリ上に設けられた一対の刃保持アッセンブリを示す、図２の切断装置の概略ライン３−３に沿って取られた断面図である。
【図４】図４は、切断装置の図２のライン４−４に沿って取られた頂断面図である。
【図５】図５は、切断装置に設けられた、本発明の現在のところ好ましい実施例に係る刃保持アッセンブリの図４のライン５−５に沿って取られた断面図である。
【図６】図６は、切断装置に設けられた、刃保持アッセンブリの図３のライン６−６に沿って取られた断面図である。
【図７】図７は、上側駆動シャフトアッセンブリの一部分を結合形態で示した部分破断側面図である。
【図８】図８は、上側駆動シャフトアッセンブリの一部分を非結合形態で示した部分破断側面図である。
【図９】図９は、図２のライン９−９から見た図である。
【図１０】図１０は、図９のライン１０−１０に沿って取られた断面図である。
【図１１】図１１は、本発明の現在のところ好ましい実施例に係る制御システムの機能ブロック図である。
【図１２】図１２は、切断装置に設けられた刃保持アッセンブリの位置を制御するため本発明の制御システムにより実行される様々なルーチンソフトウェアのフローチャートである。
【図１３】図１３は、切断装置に設けられた刃保持アッセンブリの位置を制御するため本発明の制御システムにより実行される様々なルーチンソフトウェアのフローチャートである。
【図１４】図１４は、切断装置に設けられた刃保持アッセンブリの位置を制御するため本発明の制御システムにより実行される様々なルーチンソフトウェアのフローチャートである。
【図１５】図１５は、切断装置に設けられた刃保持アッセンブリの位置を制御するため本発明の制御システムにより実行される様々なルーチンソフトウェアのフローチャートである。
【図１６】図１６は、切断装置に設けられた刃保持アッセンブリの位置を制御するため本発明の制御システムにより実行される様々なルーチンソフトウェアのフローチャートである。
【図１７】図１７は、切断装置に設けられた刃保持アッセンブリの位置を制御するため本発明の制御システムにより実行される様々なルーチンソフトウェアのフローチャートである。
【図１８】図１８は、切断装置に設けられた刃保持アッセンブリの位置を制御するため本発明の制御システムにより実行される様々なルーチンソフトウェアのフローチャートである。
【図１９】図１９は、切断装置に設けられた刃保持アッセンブリの位置を制御するため本発明の制御システムにより実行される様々なルーチンソフトウェアのフローチャートである。
【図１】
2005508260.tif 000003
【図１１】
2005508260.tif 000004
【図１２】
2005508260.tif 000005
【図１３】
2005508260.tif 000006
【図１４】
2005508260.tif 000007
【図１５】
2005508260.tif 000008
【図１６】
2005508260.tif 000009
【図１７】
2005508260.tif 000010
【図１８】
2005508260.tif 000011
【図１９】
2005508260.tif 000012
【国際公開パンフレット】
2005508260.tif 000013
2005508260.tif 000014
2005508260.tif 000015
2005508260.tif 000016
2005508260.tif 000017
2005508260.tif 000018
2005508260.tif 000019
2005508260.tif 000020
2005508260.tif 000021
2005508260.tif 000022
2005508260.tif 000023
2005508260.tif 000024
2005508260.tif 000025
2005508260.tif 000026
2005508260.tif 000027
2005508260.tif 000028
2005508260.tif 000029
2005508260.tif 000030
2005508260.tif 000031
2005508260.tif 000032
2005508260.tif 000033
2005508260.tif 000034
2005508260.tif 000035
2005508260.tif 000036
2005508260.tif 000037
2005508260.tif 000038
2005508260.tif 000039
2005508260.tif 000040
2005508260.tif 000041
2005508260.tif 000042
2005508260.tif 000043
2005508260.tif 000044
2005508260.tif 000045
2005508260.tif 000046
2005508260.tif 000047
2005508260.tif 000048
2005508260.tif 000049
2005508260.tif 000050
2005508260.tif 000051
2005508260.tif 000052
2005508260.tif 000053
【手続補正書】
【提出日】平成15年12月29日(2003.12.29)
【手続補正１】
【補正対象書類名】特許請求の範囲
【補正対象項目名】全文
【補正方法】変更
【補正の内容】
【特許請求の範囲】
【請求項１】
金属シートを切断するための装置であって、
フレームと、
前記フレーム内で回転するように取り付けられた上側駆動シャフトアッセンブリと、
前記フレーム内で回転するように取り付けられた下側駆動シャフトアッセンブリと、
前記上側及び下側の駆動シャフトアッセンブリを回転させるため該上側及び下側の駆動シャフトアッセンブリに作動的に連結された駆動モーターと、
上側レイル支持部の内側及び外側対と、
下側レイル支持部の内側及び外側対と、
前記駆動シャフトアッセンブリに沿って移動するため前記フレームにより対で支持された複数の刃保持アッセンブリであって、第１の刃保持アッセンブリが、前記上側駆動シャフトアッセンブリに沿って移動し、隣接する第１の刃保持アッセンブリと入れ子可能になるように、前記上側レイル支持部の内側及び外側対のうち一方の対により支持され、第２の刃保持アッセンブリが、前記下側駆動シャフトアッセンブリに沿って移動し、隣接する第２の刃保持アッセンブリと入れ子可能になるように前記下側レイル支持部の内側及び外側対のうち一方の対により支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
前記駆動シャフトアッセンブリの各々に沿って前記刃保持アッセンブリを移動させるため前記刃保持アッセンブリの各々に作動的に連結された刃保持位置調整システムと、
前記駆動シャフトアッセンブリの各々に沿って前記刃保持アッセンブリを位置決めするため前記刃保持位置調整システムに作動的に連結されたプログラム可能なコントローラと、
を備える、装置。
【請求項２】
前記フレームは、
前記上側駆動シャフトアッセンブリが回転可能に取り付けられている上側フレームと、
前記上側フレームに連結され、且つ、前記下側駆動シャフトアッセンブリが回転可能に取り付けられている下側フレームと、
を更に備える、請求項１に記載の装置。
【請求項３】
前記刃保持位置調整システムは、
前記フレーム内に取り付けられた上側ねじ切りシャフトと、
前記フレーム内に取り付けられた下側ねじ切りシャフトと、
を更に備え、
連係する前記ねじ切りシャフトに対する各刃保持アッセンブリの少なくとも一部分の回転が前記刃保持アッセンブリを連係する前記駆動シャフトアッセンブリに沿って移動させるように、前記刃保持アッセンブリの各々が前記ねじ切りシャフトの一つに螺合されている、請求項１に記載の装置。
【請求項４】
前記刃保持位置調整システムは、
複数の位置決めモーターであって、該モーターの各々は前記刃保持アッセンブリの一つに取り付けられ、前記プログラム可能なコントローラに作動的に連結されている、前記複数の位置決めモーターと、
複数のボールナットであって、該ボールナットの各々は前記刃保持アッセンブリの一つに取り付けられ、前記ねじ切りシャフトの一つに螺合され、連係する前記位置決めモーターに作動的に連結されている、前記複数のボールナットと、
を更に備え、
前記プログラム可能なコントローラによる前記位置決めモーターの各々の作動は、連係する前記駆動シャフトアッセンブリに沿って、連係する前記刃保持アッセンブリを移動させるため、連係する前記ボールナットを回転させる、請求項３に記載の装置。
【請求項５】
前記刃保持アッセンブリの各々の位置は、他の刃保持アッセンブリの各々から独立に、前記刃保持位置調整システムにより調整可能である、請求項１に記載の装置。
【請求項６】
金属シートを切断するための装置であって、
上側フレームと、
前記上側フレームに連結された下側フレームと、
前記上側フレーム内で回転するように取り付けられた上側駆動シャフトアッセンブリと、
前記下側フレーム内で回転するように取り付けられた下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
前記刃保持アッセンブリの各々一つに夫々取り付けられた複数の位置決めモーターと、
前記上側フレーム内に取り付けられた上側ねじ切りシャフトと、
前記下側フレーム内に取り付けられた下側ねじ切りシャフトと、
複数のボールナットであって、該ボールナットの各々は前記刃保持アッセンブリの一つに取り付けられ、前記ねじ切りシャフトの一つに螺合され、連係する前記位置決めモーターに作動的に連結され、連係する前記ねじ切りシャフトに対する各ボールナットの少なくとも一部分の回転は、連係する前記駆動シャフトアッセンブリに沿って前記刃保持アッセンブリを移動させる、前記複数のボールナットと、
前記駆動シャフトアッセンブリの各々に沿って前記刃保持アッセンブリを位置決めするため前記位置決めモーターの各々に作動的に連結されたプログラム可能なコントローラであって、該プログラム可能なコントローラによる前記位置決めモーターの各々の作動は、連係する駆動シャフトアッセンブリに沿って連係する刃保持アッセンブリを移動させるため連係する前記ボールナットを回転させる、前記プログラム可能なコントローラと、
を備え、
前記刃保持アッセンブリの各々の位置は、他の刃保持アッセンブリの各々から独立に調整可能である、装置。
【請求項７】
金属シートを切断するための装置であって、
フレームと、
前記フレーム内で回転するように取り付けられた上側駆動シャフトアッセンブリ、及び、前記フレーム内で回転するように取り付けられた下側駆動シャフトアッセンブリであって、該駆動シャフトアッセンブリの各々は複数の駆動シャフト区分を有し、各々の区分は、前記フレームで回転するため隣接する駆動シャフト区分に連結機構を介して連結され、各連結機構は、複数の連結された駆動シャフト区分と共に回転するように取り付けられる、前記上側及び下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
を備え、
前記駆動シャフトアッセンブリの各々の前記隣接する駆動シャフト区分は、前記装置を保守点検するため互いに対して選択的に再位置決めされるように構成されている、装置。
【請求項８】
前記連結機構の全ては、隣接する駆動シャフト区分を一緒に解放可能に連結する、請求項７に記載の装置。
【請求項９】
前記連結機構は、カップリングであり、各駆動シャフト区分は、
前記駆動シャフト区分から軸方向に突出するスピンドルを更に備え、前記カップリングは、隣接する駆動シャフト区分の前記スピンドルを解放可能に接続する、請求項８に記載の装置。
【請求項１０】
前記隣接する駆動シャフト区分をユーザが選択的に引き離すための駆動連結解放機構を更に備える、請求項７に記載の装置。
【請求項１１】
前記駆動シャフト連結解放機構は、
前記駆動シャフト区分の少なくとも１つに作動的に連結された、ねじを更に備え、
前記ねじの回転は、前記駆動シャフト区分を、前記隣接する駆動シャフト区分から軸方向に引く、請求項１０に記載の装置。
【請求項１２】
前記隣接する駆動シャフト区分は、該隣接する駆動シャフト区分の接続部に近接して配置された刃保持アッセンブリの一つを保守点検するため、互いから連結解放される、請求項７に記載の装置。
【請求項１３】
金属シートを切断するための装置であって、
フレームと、
前記フレーム内で回転するように取り付けられた上側駆動シャフトアッセンブリ、及び、前記フレーム内で回転するように取り付けられた下側駆動シャフトアッセンブリであって、該駆動シャフトアッセンブリの各々は複数の駆動シャフト区分を有し、各々の区分は、前記フレームで回転するため隣接する駆動シャフト区分に解放可能に連結されている、前記上側及び下側駆動シャフトアッセンブリと、
前記駆動シャフト区分の各々から軸方向に突出するスピンドルと、
隣接する駆動シャフト区分上の前記スピンドルを一緒に解放可能に接続するカップリングと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断し、前記駆動シャフトアッセンブリの各々の隣接する駆動シャフト区分は、該隣接する駆動シャフト区分の接続部に近接して配置された刃保持アッセンブリの一つを保守点検するため、選択的に互いから連結解放される、前記複数の回転式刃と、
前記駆動シャフト区分の少なくとも１つに作動的に連結された、ねじであって、該ねじの回転は、前記駆動シャフト区分を、前記隣接する駆動シャフト区分から軸方向に引く、前記ねじと、
を備える、装置。
【請求項１４】
金属シートを切断するための装置であって、
フレームと、
前記フレーム内で回転するように取り付けられた上側駆動シャフトアッセンブリ、及び、前記フレーム内で回転するように取り付けられた下側駆動シャフトアッセンブリであって、該駆動シャフトアッセンブリの各々は複数の駆動シャフト区分を有し、各々の区分は、前記フレームで回転するため隣接する駆動シャフト区分に解放可能に連結され、各駆動シャフトアッセンブリの隣接する駆動シャフト区分は、前記装置を保守点検するため互いから選択的に連結解放されるように構成されている、前記上側及び下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
前記駆動シャフトアッセンブリの各々に沿って前記刃保持アッセンブリを移動させるため前記刃保持アッセンブリの各々に作動的に連結された刃保持位置調整システムと、
前記駆動シャフトアッセンブリの各々に沿って前記刃保持アッセンブリを位置決めするため前記刃保持位置調整システムに作動的に連結されたプログラム可能なコントローラと、
を備える、装置。
【請求項１５】
金属シートを切断するための装置であって、
上側フレームと、
前記上側フレームに連結された下側フレームと、
前記上側フレーム内で回転するように取り付けられた上側駆動シャフトアッセンブリと、
前記下側フレーム内で回転するように取り付けられた下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
を備え、
前記上側フレームは、異なる厚さを持つ金属シートを切断するため、前記第１及び第２の刃保持アッセンブリの刃の相対的垂直方向位置決めを調整するように、枢動シャフトを介して前記下側フレームに枢動式に取り付けられて、該下側フレームに対して移動可能である、装置。
【請求項１６】
前記駆動シャフトアッセンブリの軸線に略垂直な方向に、前記第１及び第２の刃保持アッセンブリの刃の相対的垂直方向位置決めを調整するためのフレーム調整機構を更に備える、請求項１５に記載の装置。
【請求項１７】
前記フレーム調整機構は、
前記上側フレーム及び前記下側フレームの間に各々取り付けられた、一対のジャッキねじを更に備える、請求項１６に記載の装置。
【請求項１８】
前記ジャッキねじを同時に調整するため該ジャッキねじの各々に連結されたアクチュエータを更に備える、請求項１７に記載の装置。
【請求項１９】
前記下側フレームに対する前記上側フレームの移動では、これらのフレームが互いに対して略平行に維持される、請求項１５に記載の装置。
【請求項２０】
前記上側フレームは、前記上側及び下側駆動シャフトアッセンブリの各々からオフセットされた前記下側フレームの枢動シャフトに枢動式に連結されている、請求項１９に記載の装置。
【請求項２１】
金属シートを切断するための装置であって、
上側フレームと、
前記上側フレームに枢動式に連結された下側フレームと、
前記上側フレーム内で回転するように取り付けられた上側駆動シャフトアッセンブリと、
前記下側フレーム内で回転するように取り付けられた下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
異なる厚さを持つ金属シートを切断するため、前記駆動シャフトアッセンブリの軸線に略垂直な方向に前記第１及び第２の刃保持アッセンブリの刃の相対的垂直方向位置決めを調整するように前記上側フレーム及び前記下側フレームの間に各々取り付けられ、前記下側フレームに対する前記上側フレームの移動では、これらのフレームが互いに対して略平行に維持される、一対のジャッキねじと、
前記ジャッキねじを同時に調整するため該ジャッキねじの各々に連結されたアクチュエータと、
を備える、装置。
【請求項２２】
金属シートを切断するための装置であって、
上側フレームと、
前記上側フレームに連結された下側フレームと、
前記上側フレーム内で回転するように取り付けられた上側駆動シャフトアッセンブリと、
前記下側フレーム内で回転するように取り付けられた下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
前記駆動シャフトアッセンブリの各々に沿って前記刃保持アッセンブリを移動させるため前記刃保持アッセンブリの各々に作動的に連結された刃保持位置調整システムと、
前記駆動シャフトアッセンブリの各々に沿って前記刃保持アッセンブリを位置決めするため前記刃保持位置調整システムに作動的に連結されたプログラム可能なコントローラと、
を備え、
前記上側フレームは、異なる厚さを持つ金属シートを切断するため、前記第１及び第２の刃保持アッセンブリの刃の相対的垂直方向位置決めを調整するように、前記下側フレームに対して移動可能である、装置。
【請求項２３】
金属シートを切断するための装置であって、
上側フレームと、
前記上側フレームに連結された下側フレームと、
前記上側フレーム内で回転するように取り付けられた上側駆動シャフトアッセンブリ、及び、前記下側フレーム内で回転するように取り付けられた下側駆動シャフトアッセンブリであって、該駆動シャフトアッセンブリの各々は複数の駆動シャフト区分を有し、各々の区分は、連係する前記フレームで回転するため隣接する駆動シャフト区分に解放可能に連結されている、前記上側及び下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
を備え、
前記駆動シャフトアッセンブリの各々の隣接する駆動シャフト区分は、前記装置を保守点検するため互いから選択的に連結解放されるように構成され、
前記上側フレームは、異なる厚さを持つ金属シートを切断するため、前記第１及び第２の刃保持アッセンブリの刃の相対的垂直方向位置決めを調整するように、前記下側フレームに対して移動可能である、装置。
【請求項２４】
金属シートを切断するための装置であって、
上側フレームと、
前記上側フレームに連結された下側フレームと、
前記上側フレーム内で回転するように取り付けられた上側駆動シャフトアッセンブリ、及び、前記下側フレーム内で回転するように取り付けられた下側駆動シャフトアッセンブリであって、該駆動シャフトアッセンブリの各々は複数の駆動シャフト区分を有し、各々の区分は、夫々のフレームで回転するため隣接する駆動シャフト区分に解放可能に連結され、前記駆動シャフトアッセンブリの各々の隣接する駆動シャフト区分は、前記装置を保守点検するため互いから選択的に連結解放されるように構成されている、前記上側及び下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断し、前記上側フレームは、異なる厚さを持つ金属シートを切断するため、前記第１及び第２の刃保持アッセンブリの刃の相対的垂直方向位置決めを調整するように、前記下側フレームに対して移動可能である、前記複数の回転式刃と、
前記駆動シャフトアッセンブリの各々に沿って前記刃保持アッセンブリを移動させるため前記刃保持アッセンブリの各々に作動的に連結された刃保持位置調整システムと、
前記駆動シャフトアッセンブリの各々に沿って前記刃保持アッセンブリを位置決めするため前記刃保持位置調整システムに作動的に連結されたプログラム可能なコントローラと、
を備える、装置。
【請求項２５】
金属シートを切断するための装置であって、
フレームと、
前記フレーム内で回転するように取り付けられた上側駆動シャフトアッセンブリと、
前記フレーム内で回転するように取り付けられた下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
前記駆動シャフトアッセンブリの各々に沿って前記刃保持アッセンブリを移動させるため前記刃保持アッセンブリの各々に作動的に連結された刃保持位置調整システムと、
前記刃保持位置調整システムを制御するためのコントローラと、
を備える、装置。
【請求項２６】
金属シートを切断するための装置であって、
上側フレームと、
前記上側フレームに連結された下側フレームと、
前記上側フレーム内で回転するように取り付けられた上側駆動シャフトアッセンブリと、
前記下側フレーム内で回転するように取り付けられた下側駆動シャフトアッセンブリと、
前記上側及び下側の駆動シャフトアッセンブリを回転させるため該上側及び下側の駆動シャフトアッセンブリに作動的に連結された駆動モーターと、
前記駆動シャフトアッセンブリに沿って移動するため前記上側及び下側フレームにより対で支持された複数の刃保持アッセンブリであって、第１の刃保持アッセンブリが、前記上側駆動シャフトアッセンブリに沿って移動するため支持され、第２の刃保持アッセンブリが、前記下側駆動シャフトアッセンブリに沿って移動するため支持されるようにした、前記複数の刃保持アッセンブリと、
複数の回転式刃であって、各刃が前記刃保持アッセンブリの各々一つに取り付けられ、前記上側及び下側の駆動シャフトアッセンブリのうちいずれか一つにより駆動され、前記第１及び第２の刃保持アッセンブリの刃が協働して夫々の刃保持アッセンブリの刃の間の間隙を通過する前記金属シートを切断する、前記複数の回転式刃と、
異なる厚さを持つ金属シートを切断するため、前記第１及び第２の刃保持アッセンブリの刃の相対的垂直方向位置決めを調整するように、前記下側フレームに対して前記上側フレームを移動するためのフレーム移動手段と、
を備える、装置。
【請求項２７】
金属シートを切断する方法であって、
前記金属シートの第１の組のパラメータを、電子入力装置に入力し、
前記金属シートから切断されるべきマルトの第２の組のパラメータを前記電子入力装置に入力し、
複数の刃ブレードに関する形状を作り出すためコンピュータ内で前記第１及び第２の組のパラメータを処理し、
前記形状に従って切断装置の前記複数の刃ブレードを自動的に位置決めする、各工程を備える、方法。
【請求項２８】
切断装置のシャフト上に取り付けられた刃保持アッセンブリを保守点検する方法であって、
シャフトの第１及び第２の区分の間の接合部に向かって前記刃保持アッセンブリを移動し、該シャフトの該区分は、前記切断装置の作動中に互いに略直線上に並んでおり、
前記シャフトの前記第１の区分を前記第２の区分に対して移動し、これにより、前記区分の間の前記接合部に近接して位置決めされた刃保持アッセンブリへのアクセスを向上させ、
前記刃保持アッセンブリを保守点検し、
前記第１の区分を前記切断装置のための作業上の配列へと前記第２の区分に対して移動する、各工程を備える、方法。
【請求項２９】
厚さの異なる金属シートを切断するように切断装置を作動させる方法であって、
装置フレームの上側及び下側に回転用に取り付けられた略平行な上側及び下側シャフトにより駆動される、複数の回転式刃ブレードの間の間隙内へと第１の厚さの第１の金属シートを通過させ、
前記刃ブレードを用いて前記第１の金属シートを第１の組のマルトへと切断し、
前記上側シャフトを前記下側シャフトに対して移動させ、これにより、該上側及び下側シャフトにより駆動される刃の相対的垂直方向配置を変化させ、
前記上側シャフトは、該上側シャフトの該下側シャフトに対する移動の間、該下側シャフトに対して略平行のままであり、
前記第１の厚さとは異なる第２の厚さの第２の金属シートを、前記刃ブレードの間の前記間隙内に通過させ、
前記刃ブレードを用いて前記第２の金属シートを第２の組のマルトへと切断する、各工程を備える、方法。
【国際調査報告】
2005508260.tif 000054
2005508260.tif 000055
2005508260.tif 000056
2005508260.tif 000057
2005508260.tif 000058